(57)【要約】【課題】  本発明による木材の装飾方法においては、煩雑な工程を経ることなく、友禅染のような糊染風絵模様を木材製品に施すための量産に適した方法を提供することを課題とする。【解決手段】  本発明による木材の装飾方法では、木材表面に熱で色の消える有色液体により下絵を施す下絵工程と、模様の輪郭部に油性糊を塗布する糸目置き工程と、染料或いは顔料を含んだ水溶液により彩色する彩色工程と、模様描写部を加熱して色を定着させる定着工程と、有機溶剤を用いて前記油性糊を除去する除去工程とからなることを特徴とする。【選択図】なし【特許請求の範囲】
【請求項１】
木材表面に熱で色の消える有色液体により下絵を施す下絵工程と、模様の輪郭部に油性糊を塗布する糸目置き工程と、染料或いは顔料を含んだ水溶液により彩色する彩色工程と、模様描写部を加熱して色を定着させる定着工程と、有機溶剤を用いて前期油性糊を除去する除去工程とからなることを特徴とする木材の装飾方法。
【請求項２】
前記彩色工程と前記定着工程との間に、前記彩色部を油性マスキング材料でマスクするマスキング工程と、背景部を染料或いは顔料を含んだ水溶液により彩色する地塗り工程とを設けることを特徴とする請求項１記載の木材の装飾方法。
【請求項３】
前記下絵工程で用いる前記有色液体が、化学青花であることを特徴とする請求項１或いは２記載の木材の装飾方法。
【請求項４】
前記糸目置き工程で用いる前記油性糊がゴム糊であることを特徴とする請求項１乃至３のいずれかに記載の木材の装飾方法。
【請求項５】
前記定着工程の加熱温度が７０乃至２２０度であることを特徴とする請求項１乃至４のいずれかに記載の木材の装飾方法。
【請求項６】
前記除去工程で用いる前記有機溶剤がガソリンであることを特徴とする請求項１乃至５のいずれかに記載の木材の装飾方法。
【請求項７】
前記マスキング工程における前記マスキング材料が蝋であることを特徴とする請求項２乃至６のいずれかに記載の木材の装飾方法。
【請求項８】
前記木材が栓或いはケヤキであることを特徴とする請求項１乃至７のいずれかに記載の木材の装飾方法。
【発明の詳細な説明】
【技術分野】
【０００１】  本発明は、建具や家具等の木材製品の表面に絵や模様などを描いて装飾する方法に関する。
【背景技術】
【０００２】  従来、木材製品の装飾方法としては、彫刻や漆塗り等が一般的に行われてきた。これらの方法も木材製品の装飾方法としては有用であるが、布地に対する友禅染のような微妙な色合いを表現することは困難であった。【０００３】  糊染風の絵模様を木材製品に表現する方法としては、特許文献１がある。この文献において開示されている絵模様の表出方法は、「木地にチャコペーパーで下絵を写し」、「下絵の輪郭線上を可剥離性塗料で骨描きし」、「骨描きの乾燥後、膠着剤で溶かした顔料又は染料で模様部を彩色し」、「彩色箇所を可剥離性塗料で塗布し」、「地塗り乾燥し」、「可剥離性塗料を剥離する」することを特徴とする。【０００４】  ここで、チャコペーパーとは登録商標であり、「ｈｔｔｐ：／／ｗｗｗ．ｃｈａｃｏｐａｐｅｒ．ｃｏｍ」のホームページによれば、「水でさっと消えるアート用転写紙」である。また、特許文献１の記述によれば可剥離性塗料は「マスケットインクやメルコート（商標）」を使用し、地塗りが乾いた後物理的に「こすって剥ぎ取り」、製品としている。【０００５】  また、友禅染等の糊染は、特許文献１の記述にもあるように、防染糊を使用するので最後にこれを水洗いして落とす必要がある。このため、木材製品にこの方法をそのまま応用することはできなかった。【０００６】
【特許文献１】特許第３３４８１８６号公報
【発明の開示】
【発明が解決しようとする課題】
【０００７】  上述の特許文献１の方法によれば、下絵を施すのにチャコペーパーを用いているため、別の紙等に描いたものを転写するのには適しているが、最後に「面相筆等に水を含ませ輪郭線をなぞる」ことにより色を消す必要がある。また、輪郭線やマスキングにおいて可剥離性塗料を使用するため、最終的には物理的にこすり落とす必要がある。このような方法は、手作業で行うことはできるが装置的に実施するのは非常に困難であった。【０００８】  上記の問題点に鑑み、本発明による木材の装飾方法においては、煩雑な工程を経ることなく、友禅染のような糊染風絵模様を木材製品に施すための量産に適した方法を提供することを課題とする。
【課題を解決するための手段】
【０００９】  上記課題を解決するため本発明による木材の装飾方法では、木材表面に熱で色の消える有色液体により下絵を施す下絵工程と、模様の輪郭部に油性糊を塗布する糸目置き工程と、染料或いは顔料を含んだ水溶液により彩色する彩色工程と、模様描写部を加熱して色を定着させる定着工程と、有機溶剤を用いて前記油性糊を除去する除去工程とからなることを特徴とする。【００１０】  前記彩色工程と前記定着工程との間に、前記彩色部を油性マスキング材料でマスクするマスキング工程と、背景部を染料或いは顔料を含んだ水溶液により彩色する地塗り工程とを設けることもできる。【００１１】  前記下絵工程で用いる前記有色液体は、加熱することで色の消える性質であれば特に限定されるものではないが、化学青花が特に好適である。【００１２】  前記糸目置き工程で用いる前記油性糊は、非水溶性であれば特に限定されるものではないが、ゴム糊が望ましい。【００１３】  前記定着工程の加熱温度は７０乃至２２０度が好ましく、特に１５０乃至２００度程度が時間を短縮できるため好適である。【００１４】  前記除去工程で用いる前記有機溶剤は、糸目置き工程で用いた油性糊と、場合によってはマスキング工程で使用した油性マスキング材料を溶解させる性質のものであれば使用できるが、ガソリンが特に好ましい。【００１５】  前記マスキング工程における前記マスキング材料は、油性で彩色部と混合しないものであれば使用できるが、蝋が特に好適である。【００１６】  本発明の装飾の対象とする木材は、特に限定されるわけではないが、木目の美しさや糊染風絵模様との相性の観点から、栓或いはケヤキが特に好ましい。
【発明の効果】
【００１７】  本発明による木材の装飾方法を用いれば、木材表面に糊染風絵模様を表現することが可能となる。本発明の装飾方法はまた、工程が単純であるので、同じ絵模様を量産するための設備に応用することも可能である。請求項１によれば、地塗りを行わないので、木地本来の色をした木目の上に淡い絵模様を浮き出させることが可能となる。また、請求項２によれば、地塗りを行って絵模様の背景も染め上げることが可能となるので、背景に対して絵模様をより効果的に際だたせることができる。
【発明を実施するための最良の形態】
【実施例】
【００１８】  以下、本発明の好適な実施例に基づいて、本発明を詳細に説明する。まず、栓の板を対象として表面に化学青花を用いて、下絵を描く。栓とはウコギ科ハリギリ属の落葉広葉樹である。栓の板は淡黄白色で木目がはっきりしており、絵模様が映えやすいので使用した。化学青花とは、デンプンのヨード反応を利用して人工的に作成した製品であり、青色をしているが熱を加えると消色する。布地の友禅染の場合は、水洗したり蒸気で蒸したりすることができるので、天然の青花でもよいが、木材製品の場合、変形する可能性があるので蒸気や水洗は利用できない。そこで、単に熱で色の消える化学青花が好ましい。【００１９】  次に、絵模様の輪郭部ゴム糊を塗布し、彩色部の染料が周囲ににじみ出すのを防止する。ゴム糊は、天然ゴム等のゴム成分をテレピン油などの溶剤に溶かしたものなので、水に溶けず、彩色部に染料を塗布した際にこれをはじくので好適である。輪郭部にゴム糊を塗布した後は、ゴム糊を乾燥させる。【００２０】  絵模様の彩色は、主として染料を水に溶いたものを筆等を用いて塗布するが、色によっては染料が利用できないものもあるので、その場合には顔料を乳鉢等で微細粉にすりつぶし、水に分散させて使用する。本発明の場合は、板を染め上げることが目的なので、顔料の場合は板の目地に入り込む程度の微粉末にする必要がある。分散が難しい場合には、界面活性剤等の分散補助剤を使用することもできる。【００２１】  彩色部を乾燥させた後、絵模様を施した板を１８０度の雰囲気に５分程度保持し、彩色部の染料を板に定着させる。加熱の手段としてここでは板全体を加熱するために加熱炉を用いたが、ドライヤー等により順次加熱する方法も使用できるため、加熱方法は乾燥状態であれば特に限定されない。布地の友禅染の場合は、色を定着させるのに蒸気等を使用することがあるが、木材の場合蒸気により変形するおそれがあるため、乾燥雰囲気が必要である。【００２２】  定着工程の後、ガソリンを染み込ませた布で絵模様表面を拭くことにより、ゴム糊のみを効果的に溶解除去することができる。背景に対する地塗りを行わない場合は、これで板の装飾が完成する。【００２３】  次に、背景を地塗りする場合について説明する。下絵を施してから絵模様部の彩色までは、先の実施例と同じである。続いて、蝋を溶かして彩色した絵模様部をマスキングする。その後、背景部を染料又は顔料を用いて地塗りする。地塗りを乾燥させた後は、先の実施例と同じく板を１８０度の雰囲気に５分程度保持し、彩色部及び背景部の染料を板に定着させる。定着工程の後は、ガソリンを染み込ませた布で板表面を拭くことにより、ゴム糊と蝋のみを効果的に溶解除去することができる。【００２４】  上述したのは手描きで行う場合であるが、たとえば、プロッターをコンピュータと接続し、コンピュータに絵柄を登録しておいて、プロッターのインクとして化学青花を使用することにより、同じ絵柄の下絵を多数描くことができる。また、彩色も、多色のプロッターを用いることにより自動で行うことが可能である。さらに、ゴム糊や蝋の除去も、板をベルトコンベア等で流して、ガソリンを含ませたスポンジ等のローラーを回転接触させることにより容易に行うことがで���る。このように、本発明による木材の装飾方法は産業的な自動化も可能となる。
【産業上の利用可能性】
【００２５】  本発明の特徴は、下絵用の有色溶液として加熱で消色するものを用いることにより下絵具を除去する必要がないこと、水溶性の染料および顔料に対して油性糊と蝋を用いることにより彩色のにじみを効果的に防止できるとともに、最終的に水を用いずガソリン等の有機溶剤で除去できるので、木材を変形させずに容易に絵模様を表出できることである。従って、糊染風絵模様を木材製品に容易に表現することが可能となる。また、工程が煩雑でないため、量産向けの設備に応用することも可能であり、木材製品の装飾の多様化に貢献できるものである。